(57)【要約】【課題】遊技球の転動に目が離せず興味を持って遊技を楽しくすることができる遊技機におけるセンタ役物のステージ構造を提供する。【解決手段】ステージ面３４は、短尺方向の断面が凹状に湾曲し、左右方向にハーフパイプ面状に連続した面形状となっている。また、ステージ面３４の左端部側に、下部ワープ通路３８ｂを形成するワープ形成部材３６を設けている。このワープ形成部材３６は、ステージ面３４の左端部を臨むワープ出口を形成しているとともに、ワープ出口から放出された遊技球を、ステージ面３４の奥側に向けて誘導する湾曲縁部を設けている。【選択図】        図４
2004230018.tif 000002
【特許請求の範囲】
【請求項１】
遊技機のセンタ役物に、左右方向に延在し、且つ左右両端から左右方向中央に向かうに従い徐々に低くなるステージ面を設け、遊技領域を流下してきた遊技球の一部を前記ステージ面の左右方向端部に誘導するワープ通路を設けるとともに、前記ステージ面の左右方向中央の奥側に、該ステージ面を転がる遊技球を前記センタ役物の下方に設けた入賞口に誘導する特定入口を設けたステージ構造において、
前記ステージ面を、短尺方向の断面が凹状に湾曲し、左右方向にハーフパイプ状に連続している面形状とするとともに、前記ステージ面の左右方向の端部側に前記ワープ通路の一部を形成するワープ形成部材を設け、当該ワープ形成部材は、前記ワープ通路を移動する前記遊技球を手前側に案内する案内路を形成しつつ、前記ステージ面の左右方向端部を臨むワープ出口を形成するとともに、当該ワープ出口から放出された前記遊技球を、前記ステージ面の奥側に向けて誘導するワープ誘導部を形成していることを特徴とする遊技機におけるセンタ役物のステージ構造。
【請求項２】
前記ワープ形成部材に、勢いを付けて移動してくる前記遊技球の移動速度を減少させる消勢部を設けたことを特徴とする請求項１記載の遊技機におけるセンタ役物のステージ構造。
【請求項３】
前記消勢部は、前記ワープ形成部材の案内路を形成している内壁に形成され、前記遊技球が接触して移動することで移動速度を減少させる帯状のリブであることを特徴とする請求項２記載の遊技機におけるセンタ役物のステージ構造。
【発明の詳細な説明】
【０００１】
【発明の属する技術分野】
本発明は、パチンコ機等の遊技機におけるセンタ役物のステージ構造に関する。
【０００２】
【従来の技術】
パチンコ機におけるセンタ役物のステージ構造として、例えば、左右方向に平面形状で延在しているステージ面と、このステージ面の左右方向の中央において前面に向けて下方に傾斜している誘導面を設け、ワープ通路のワープ出口からステージ面の左右方向の端部側に転がってきた遊技球を、ステージ面の中央まで転動させ、さらに誘導面に案内することで、センタ役物の下方に設けた入賞口に向けて落下させる構造のものが知られている（例えば、特許文献１。）。
【０００３】
【特許文献１】
特許第３１３４９４１号（図９，図１３）
【０００４】
【発明が解決しようとする課題】
しかし、特許文献１のステージ構造であると、ワープ出口から出てきた遊技球は、平面形状のステージ面から誘導面まで左右方向の直線的な転がり動作しかせず、遊技球の転がりが単調になってしまい、遊技者は、ステージ面の遊技球の動きに興味を抱かなくなる。
【０００５】
また、上記のステージ構造では、ワープ出口から誘導面までの遊技球の転がり時間が短く、各遊技球の流下速度が早くなるので、遊技者にゲーム時間が短いような印象を与えてしまい、大当たりへの期待感を減少させてしまうおそれがある。
そこで、本発明は上記事情に鑑みてなされたもので、遊技球の転動に目が離せず、興味を持って遊技を楽しくすることができるともに、ステージ面の遊技球の転がり時間が長くなって、大当たりへの期待感を増大させることができる遊技機におけるセンタ役物のステージ構造を提供することを目的としている。
【０００６】
【課題を解決するための手段】
請求項１記載の遊技機におけるセンタ役物のステージ構造は、遊技機のセンタ役物に、左右方向に延在し、且つ左右両端から左右方向中央に向かうに従い徐々に低くなるステージ面を設け、遊技領域を流下してきた遊技球の一部を前記ステージ面の左右方向端部に誘導するワープ通路を設けるとともに、前記ステージ面の左右方向中央の奥側に、該ステージ面を転がる遊技球を前記センタ役物の下方に設けた入賞口に誘導する特定入口を設けたステージ構造において、前記ステージ面を、短尺方向の断面が凹状に湾曲し、左右方向にハーフパイプ状に連続している面形状とするとともに、前記ステージ面の左右方向の端部側に前記ワープ通路の一部を形成するワープ形成部材を設け、当該ワープ形成部材は、前記ワープ通路を移動する前記遊技球を手前側に案内する案内路を形成しつつ、前記ステージ面の左右方向端部を臨むワープ出口を形成するとともに、当該ワープ出口から放出された前記遊技球を、前記ステージ面の奥側に向けて誘導する誘導部を形成した。
【０００７】
また、請求項２記載の発明は、請求項１記載の遊技機におけるセンタ役物のステージ構造において、前記ワープ形成部材に、勢いを付けて移動してくる前記遊技球の移動速度を減少させる消勢部を設けた。
さらに、請求項３記載の発明は、請求項２記載の遊技機におけるセンタ役物のステージ構造において、前記消勢部は、前記ワープ形成部材の案内路を形成している内壁に形成され、前記遊技球が接触して移動することで移動速度を減少させる帯状のリブである。
【０００８】
【発明の実施の形態】
以下、本発明の１実施形態について、図面を参照して説明する。
図１は、本発明に係る１実施形態におけるパチンコ機の一部分を構成する遊技盤２の正面図である。
遊技盤２は、外側ガイドレール４と内側ガイドレール６とによって包囲された円形状の遊技領域８を備え、遊技者の操作により、図示しない発射装置から発射された遊技球が、遊技領域８を流下しつつ転動することにより、遊技が行われる。遊技領域８には、遊技釘が多数配置されているが、図面簡素化のために省略する。
【０００９】
遊技領域８の中央部には、液晶からなる特別図柄表示装置１０が配置されている。また、特別図柄表示装置１０の下方には、特別図柄始動口１２が配置され、特別図柄始動口１２の左右両側には、普通図柄作動ゲート１４が配置されている。また、遊技領域８の下方には、変動入賞装置１６が配置されており、遊技球を入賞可能な状態とする大入賞口１８を備えている。
【００１０】
また、特別図柄表示装置１０の前面側には、センタ役物２０が配置されているとともに、他の遊技領域８に、遊技釘とともに遊技球の転動方向を変化させるランプ付き風車２２、遊技球を遊技盤２の裏面に排出するアウト口２４、ランプ表示装置２６等が配置されている。
そして、遊技球が特別図柄始動口１２に入賞すると、所定の確率に基づいて判定制御手段（図示せず）で特賞状態を生起するか否かが判定され、その判定結果に基づいて、特別図柄表示装置１０の特別図柄を変動させ、その後に所定の図柄を確定表示させる。特賞状態が生起すると、所定時間の間、変動入賞装置１６の広幅の扉が前面側に開いて、遊技球を入賞可能な状態とする。
【００１１】
また、遊技球が普通図柄作動ゲート１４を通過すると、所定の確率に基づいて、他の判定制御手段（図示せず）で準特賞状態を生起するか否かが判定され、その判定の結果に基づいて、普通図柄表示装置（図示せず）の普通図柄を変動させ、その後に所定の図柄を確定表示させる。準特賞状態が生起すると、特別図柄始動口１２の左右の可動片１２ａ，１２ａが所定時間開放し、遊技球が特別図柄始動口１２に入賞しやすくなる。
【００１２】
ここで、図２は、前述したセンタ役物２０を斜視で示した図である。
このセンタ役物２０は、遊技盤２の盤面に取付けられる本体ベース３０と、本体ベース３０の中央に設けられて特別図柄表示装置１０を保護している透明板３２と、透明板３２の下部に設けられ、正面視において左右方向に延在しているステージ面３４と、本体ベース３０に取り付けた第１ワープ形成部材３５及び第２ワープ形成部材３６により形成され、内部に受け入れた遊技球をステージ面３４に向けて誘導するワープ通路３８と、ステージ面３４の左右方向中央の奥側に並んで設けた複数の特定入口４４と、これら特定入口４４の下方に設けられ、各特定入口４４に入った遊技球を特別図柄始動口１２に誘導する複数の特定出口４６とを備えている。
【００１３】
ステージ面３４は、短尺方向の断面が凹状に湾曲し、左右方向にハーフパイプ状に連続した面形状となっているとともに、左端部側のステージ面３４ａ及び右端部側のステージ面３４ｂから左右方向中央のステージ面３４ｃに向かうに従い徐々に低くなるように形成されている。また、特定入口４４の手前側における略半円形状の領域には、特定入口４４に向けて下り傾斜を付けた略平面形状の誘導面５０が設けられている。
【００１４】
図３は、図２で示したセンタ役物２０の第２ワープ形成部材３６を本体ベース３０から取り外し、第１ワープ形成部材を露出させた状態を示すものである。第１ワープ形成部材３５は、遊技領域８の左側上流を流下してきた遊技球を受け入れる樋状のワープ入口４０と、このワープ入口４０に受け入れた遊技球を外部から見えないようにしながら誘導する上部ワープ通路３８ａと、この上部ワープ通路３８ａの下部で開口して遊技球を手前側に排出する排出口４１とを備えている。ここで、排出口４１の下部には、本体ベース３０の垂直壁面３０ａが存在し、この垂直壁面３０ａに連続してステージ面３４に向けて下り傾斜を付けた傾斜面３０ｂが設けられている。
【００１５】
そして、図４に示すように、第１ワープ形成部材３５の排出口４１を覆うように第２ワープ形成部材３６を本体ベース３０に取り付けることで、遊技球を外部から見えないようにしながらステージ面３４側に誘導する下部ワープ通路３８ｂを設けている。なお、前述した上部ワープ通路３８ａ及び下部ワープ通路３８ｂとでワープ通路３８が構成されている。
【００１６】
第２ワープ形成部材３６は、図５及び図６に示すように、表面３６ａが所定の絵柄を有してセンタ役物２０の装飾部となるような外観に形成されているとともに、端部に、表面３６ａ側に凸となる湾曲縁部３６ｂを設けている。また、第２ワープ形成部材３６の裏面３６ｃには、本体ベース３０の係合部に着脱自在に連結可能な連結杆３６ｄ，３６ｅが形成されているとともに、略直角形状に延在した帯状のリブ３７が形成されている。
【００１７】
ここで、図７に示すように、第２ワープ形成部材３６を本体ベース３０に取り付けると、傾斜面３０ｂの最下面位置に、ワープ通路３８により誘導してきた遊技球Ｂをステージ面３４に放出するワープ出口４２が設けられる。そして、ワープ出口４２よりステージ面３４側に、第２ワープ形成部材３６の湾曲縁部３６ｂが、ステージ面３４の奥側に延在しながら、ステージ面３４の湾曲面に沿うように配置される（図８参照）。
【００１８】
また、第２ワープ形成部材３６の裏面３６ｃに形成した帯状のリブ３７は、図７に示すように、本体ベース３０の垂直壁面３０ａに対向しており、この垂直壁面３０ａとの幅を、遊技球Ｂの直径より僅かに大きな寸法に設定している。
次に、遊技領域８の左側上流を流下してきた遊技球Ｂをワープ入口４０が受け入れたときについて、図４、図７及び図８を参照して説明する。
【００１９】
ワープ入口４０で受け入れられて上部ワープ通路３８ａを移動する遊技球Ｂは、排出口４１から傾斜面３０ｂ上に落下する。その際、遊技球Ｂが勢いを付けて落下しようとしても、第２ワープ形成部材３６の裏面３６ｃに形成した帯状のリブ３７と、本体ベース３０の垂直壁面３０ａとの幅が、遊技球Ｂの直径より僅かに大きな寸法に設定されているので、遊技球Ｂはリブ３７に接触して移動速度が減少する。
【００２０】
移動速度が減少した遊技球Ｂは、傾斜面３０ｂ上を転動してワープ出口４２からステージ面３４に放出される。その際、ワープ出口４２よりステージ面３４側に、第２ワープ形成部材３６の湾曲縁部３６ｂが、ステージ面３４の奥側に延在し、且つステージ面３４の湾曲面に沿うように配置されているので、ワープ出口４２から放出された遊技球Ｂは、湾曲縁部３６ｂの内面（裏面）に沿って左端部側のステージ面３４ａの奥側に転動していく。そして、遊技球Ｂは、左側端部のステージ面３４ａの奥側及び手前側への転動を繰り返して揺動しながら左右方向中央のステージ面３４ｃ側に向かっていき、左右方向中央のステージ面３４ｃの最も低い位置から誘導面５０を通過し、吸い込まれるように何れかの特定入口４４に入り込む。特定入口４４に入り込んだ遊技球Ｂは、特定出口４６から出て特別図柄始動口１２に向けて落下していく。
【００２１】
したがって、遊技者は、ステージ面３４上を揺動しながら複雑な転がり動作を行い、しかも、暫くの間、ステージ面３４上を滞留している遊技球Ｂの動きを見ることが可能となる。
本実施形態によると、ステージ面３４を、短尺方向の断面が凹状に湾曲し、左右方向にハーフパイプ状に連続している面形状としているとともに、ワープ通路３８を形成しているワープ形成部材３６の内面（裏面３６ｃ）に遊技球Ｂの勢いをゆるめるリブ３７を設け、ワープ形成部材３６の湾曲縁部３６ｂがステージ面３４の奥側に延在し、且つステージ面３４の湾曲面に沿うように配置されているので、ワープ出口４２から勢いをゆるめて放出された遊技球Ｂがステージ面３４の奥側及び手前側への転動を繰り返して揺動していき、徐々に揺動動作を小さくして左右方向中央のステージ面３４ｃ側に向かっていく複雑な転がり動作を行う。これにより、遊技者は、遊技球Ｂの動きに目が離せず、興味を持って遊技を楽しむことができる。
また、遊技球Ｂが、暫くの間、ステージ面３４上を滞留して転がり時間が長くなるので、大当たりへの期待感を増大させることができる。
【００２２】
【発明の効果】
本発明の遊技機におけるセンタ役物のステージ構造によると、遊技領域を流下してきた遊技球は、ワープ通路に誘導されてステージ面の左右方向端部に設けたワープ出口から放出され、ワープ通路を形成しているワープ形成部材に設けた誘導部に誘導されて左右方向端部のステージ面の奥側に転動していき、ステージ面の奥側及び手前側への転動を繰り返して揺動していき、徐々に揺動動作を小さくして左右方向中央のステージ面から特定入口に向かっていく複雑な転がり動作を行うので、遊技者は、遊技球の動きに目が離せず、興味を持って遊技を楽しくすることができる。
また、遊技球が、暫くの間、ステージ面を滞留して転がり時間が長くなるので、大当たりへの期待感を増大させることができる。
【図面の簡単な説明】
【図１】本発明に係るパチンコ機の遊技盤を示す正面図である。
【図２】本発明に係るセンタ役物を示す斜視図である。
【図３】本発明に係るワープ通路を形成している第２ワープ形成部材を取り外したセンタ役物を示す図である。
【図４】本発明に係るセンタ役物のワープ通路を拡大して示した図である。
【図５】本発明に係るセンタ役物の第２ワープ形成部材を裏面側から示した図である。
【図６】本発明に係るセンタ役物の第２ワープ形成部材を表面側から示した図である。
【図７】図４のＶＩＩ−ＶＩＩ線矢視図である。
【図８】図４のＶＩＩＩ−ＶＩＩＩ線矢視図である。
【符号の説明】
８  遊技領域
１２  特別図柄始動口（入賞口）
２０  センタ役物
３０  本体ベース
３０ａ  垂直壁面
３４  ステージ面
３４ａ  左端部側のステージ面
３４ｂ  右端部側のステージ面
３４ｃ  左右方向中央のステージ面
３５  第１ワープ形成部材
３６  第２ワープ形成部材（ワープ形成部材）
３６ｂ  湾曲縁部（ワープ誘導部）
３６ｃ  第２ワープ形成部材の裏面（ワープ形成部材の内壁）
３７  リブ（消勢部）
３８  ワープ通路
３８ａ  上部ワープ通路
３８ｂ  下部ワープ通路（案内路）
４０  ワープ入口
４２  ワープ出口
４４  特定入口
５０  誘導面
Ｂ  遊技球
【図１】
2004230018.tif 000003
【図２】
2004230018.tif 000004
【図３】
2004230018.tif 000005
【図４】
2004230018.tif 000006
【図５】
2004230018.tif 000007
【図６】
2004230018.tif 000008
【図７】
2004230018.tif 000009
【図８】
2004230018.tif 000010